(57)【要約】【課題】  原稿の画像を読み取るために原稿を搬送した際、搬送された原稿に重送が発生することがある。しかし、原稿を排出するトレイを１つしか備えていない場合は、重送によって欠落した原稿を容易に特定することができなかった。【解決手段】  搬送された原稿の重送を検知し、重送が検知された第１の原稿の画像を読み取った第１の画像データと、前記第１の原稿に後続して搬送された第２の原稿の画像を読み取った第２の画像データとを、重送が発生したことを示す情報とともに表示し、ユーザに提示することを特徴とする。【選択図】  図５
2015073186.tif 000002
【特許請求の範囲】
【請求項１】
原稿を搬送する搬送手段と、
前記搬送手段によって搬送された原稿の重送を検知する検知手段と、
前記搬送手段によって搬送された原稿の画像を読み取る読取手段と、
前記検知手段によって重送が検知された第１の原稿の画像を読み取った第１の画像データと、前記第１の原稿に続いて搬送された第２の原稿の画像を読み取った第２の画像データとを、重送が発生したことを示す情報とともに表示する表示手段と、
を有することを特徴とする画像読取装置。
【請求項２】
前記検知手段によって重送が検知された場合に、原稿の重送によって読み取られなかった原稿の画像の読み取りを更に行うよう指示する指示手段を更に有する
ことを特徴とする請求項１に記載の画像読取装置。
【請求項３】
前記表示手段は、前記第１の原稿の前に読み取った原稿の画像データを表示するよう指示されたことに従って、前記第１の原稿の前に読み取った原稿の画像データを表示する
ことを特徴とする請求項１又は２に記載の画像読取装置。
【請求項４】
前記表示手段は、前記第２の原稿の後に読み取った原稿の画像データを表示するよう指示されたことに従って、前記第２の原稿の後に読み取った原稿の画像データを表示する
ことを特徴とする請求項１乃至３のいずれか１項に記載の画像読取装置。
【請求項５】
前記読取手段によって読み取った原稿の画像データをシートに印刷する印刷手段を更に有し、
前記表示手段は、前記印刷手段によって１部目の印刷が終了した後に、前記第１の画像データと前記第２の画像データとを表示する
ことを特徴とする請求項１乃至４のいずれか１項に記載の画像読取装置。
【請求項６】
前記検知手段によって重送が検知された場合に、前記読取手段による原稿の画像の読み取りを継続するか否かを判定する判定手段を更に有し、
前記表示手段は、前記判定手段によって継続すると判定された場合に、前記読取手段によって前記第１の原稿の画像及び前記第２の原稿の画像を読み取った後に、前記第１の画像データと前記第２の画像データとを表示し、前記判定手段によって継続しないと判定された場合に、前記検知手段によって重送が検知されたことに従って、前記第１の画像データと前記第２の画像データとを表示する
ことを特徴とする請求項１乃至４のいずれか１項に記載の画像読取装置。
【請求項７】
前記読取手段によって読み取った原稿の画像データをシートに印刷する印刷手段を更に有し、
前記表示手段は、前記判定手段によって継続すると判定された場合に、前記印刷手段によって１部目の印刷が終了した後に、前記第１の画像データと前記第２の画像データとを表示する
ことを特徴とする請求項６に記載の画像読取装置。
【請求項８】
前記判定手段は、前記読取手段によって原稿の画像を読み取った順番で印刷する必要があるジョブである場合に、前記読取手段による原稿の画像の読み取りを継続しないと判定する
ことを特徴とする請求項６又は７に記載の画像読取装置。
【請求項９】
前記読取手段によって原稿の画像を読み取った順番で印刷する必要があるジョブとは、両面設定、ページレイアウト設定、又は、製本設定のいずれかの設定を含むジョブである
ことを特徴とする請求項８に記載の画像読取装置。
【請求項１０】
前記検知手段によって重送が検知された場合に、前記印刷手段によって前記第１の画像データを印刷したシートと前記第２の画像データを印刷したシートとの間に識別可能なシートを挿入するよう制御する挿入制御手段を更に有する
ことを特徴とする請求項５又は７に記載の画像読取装置。
【請求項１１】
前記検知手段によって重送が検知された場合に、前記印刷手段によって前記第１の画像データを印刷したシートと前記第２の画像データを印刷したシートとをシフトさせた状態で排出するよう制御するシフト制御手段を更に有する
ことを特徴とする請求項５又は７に記載の画像読取装置。
【請求項１２】
原稿を搬送する搬送工程と、
前記搬送工程によって搬送された原稿の重送を検知する検知工程と、
前記搬送工程によって搬送された原稿の画像を読み取る読取工程と、
前記検知工程によって重送が検知された第１の原稿の画像を読み取った第１の画像データと、前記第１の原稿に続いて搬送された第２の原稿の画像を読み取った第２の画像データとを、重送が発生したことを示す情報とともに表示する表示工程と、
を有することを特徴とする画像読取装置の制御方法。
【請求項１３】
請求項１２に記載の制御方法を、コンピュータに実行させるためのプログラム。
【請求項１４】
請求項１３に記載のプログラムを格納した、コンピュータで読み取り可能な記憶媒体。
【発明の詳細な説明】
【技術分野】
【０００１】
本発明は、重送を検知し、重送によって欠落した原稿を特定することができる画像読取装置、画像読取装置の制御方法、プログラム、及び記憶媒体に関するものである。
【背景技術】
【０００２】
従来、原稿の画像を読み取るために原稿を搬送した際、搬送された原稿に重送が発生したことについて、超音波等を利用したセンサによって重送を検知する技術が知られている。そこで、重送を検知した原稿と、重送を検知しなかった原稿とを異なるトレイに排出し、ユーザは、重送を検知した原稿のみを取り出して、重送を検知した原稿のみについて画像の再読み取りを可能とする技術が知られている。（特許文献１参照）
【先行技術文献】
【特許文献】
【０００３】
【特許文献１】特開２００５−１７３４７２号公報
【発明の概要】
【発明が解決しようとする課題】
【０００４】
上記特許文献１に記載の技術では、重送を検知した原稿は、重送を検知しなかった原稿とは異なるトレイに排出する必要がある。そのため、原稿を排出するトレイを１つしか備えていない場合は、重送によって欠落した原稿を確認するために、ユーザは、原稿と、読み取った原稿の画像データを一つ一つ照らし合わせる手間がかかっていた。
【０００５】
本発明の目的の一つは、以下のとおりである。搬送された原稿の重送を検知し、重送を検知した第１の原稿の画像データと、第１の原稿に続いて画像を読み取った第２の原稿の画像データとを、重送が発生したことを示す情報とともに表示する。これによって、ユーザは、重送によって欠落した原稿を容易に特定することができるようにした装置や方法等を提供することを目的とする。
【課題を解決するための手段】
【０００６】
上記目的を達成するために本発明の一態様に係る画像読取装置は以下のような構成を備える。即ち、原稿を搬送する搬送手段と、前記搬送手段によって搬送された原稿の重送を検知する検知手段と、前記搬送手段によって搬送された原稿の画像を読み取る読取手段と、前記検知手段によって重送が検知された第１の原稿の画像を読み取った第１の画像データと、前記第１の原稿に続いて搬送された第２の原稿の画像を読み取った第２の画像データとを、重送が発生したことを示す情報とともに表示する表示手段と、を有することを特徴とする。
【発明の効果】
【０００７】
本発明によれば、搬送された原稿の重送を検知し、重送を検知した第１の原稿の画像データと、第１の原稿に続いて画像を読み取った第２の原稿の画像データとを、重送が発生したことを示す情報とともに表示する。これにより、ユーザは、重送によって欠落した原稿を容易に特定することができる。
【図面の簡単な説明】
【０００８】
【図１】本実施形態に係る印刷システムの構成を示すブロック図である。
【図２】本実施形態に係るＭＦＰの構成を示す断面図である。
【図３】第１の実施形態に係るＭＦＰにおいて、原稿の画像の読み取りに係る一連の処理を説明するためのフローチャートである。
【図４】第１の実施形態に係るＭＦＰにおいて、読み取った原稿の画像データの印刷に係る一連の処理（Ｓ４００）を説明するためのフローチャートである。
【図５】第１の実施形態に係るＭＦＰにおいて、重送によって欠落した原稿の画像データのリカバリに係る一連の処理（Ｓ５００）を説明するためのフローチャートである。
【図６】第１の実施形態に係るＭＦＰにおいて、重送の検知箇所を登録したテーブルの一例を示す図である。
【図７】第１の実施形態に係るＭＦＰにおいて、操作部に表示される確認画面の一例を示す図である。
【図８】第２の実施形態に係るＭＦＰにおいて、原稿の画像の読み取りに係る一連の処理を説明するためのフローチャートである。
【発明を実施するための形態】
【０００９】
以下、本発明の実施形態について添付図面を参照して詳しく説明する。尚、以下の実施形態は特許請求の範囲に係る本発明を限定するものでなく、また本実施形態で説明されている特徴の組み合わせの全てが本発明の解決手段に必須のものとは限らない。
【００１０】
［第１の実施形態］
本発明の第１の実施形態に係る印刷システムについて図１を用いて説明する。本実施形態に係る印刷システムは、原稿の画像を読み取る画像読取装置としての機能を備えるＭＦＰ１００と、外部の情報処理装置であるＰＣ１０１で構成される。なお、ＭＦＰ（Ｍｕｌｔｉ  Ｆｕｎｃｔｉｏｎａｌ  Ｐｅｒｉｐｈｅｒａｌ）１００は、画像読取装置の他に、読み取った画像データをシートに印刷する印刷装置（画像形成装置ともいう）としての機能を更に備えていてもよい。
【００１１】
ＭＦＰ１００は、ローカルエリアネットワーク等のＬＡＮ（Ｌｏｃａｌ  Ａｒｅａ  Ｎｅｔｗｏｒｋ）やインターネット等のＷＡＮ（Ｗｉｄｅ  Ａｒｅａ  Ｎｅｔｗｏｒｋ）を介してＰＣ１０１と接続されており、ＰＣ１０１と通信を行う。また、本実施形態では、ＭＦＰ１００とＰＣ１０１が有線ＬＡＮを介して接続される例を説明するが、ＭＦＰ１００とＰＣ１０１はＵＳＢ（Ｕｎｉｖｅｒｓａｌ  Ｓｅｒｉａｌ  Ｂｕｓ）ケーブルを介して接続されてもよい。また、ＭＦＰ１００とＰＣ１０１はＷｉ−Ｆｉ（Ｗｉｒｅｌｅｓｓ  Ｆｉｄｅｌｉｔｙ）やＢｌｕｅｔｏｏｔｈ（登録商標）などの無線通信によって通信可能に構成されてもよい。なお、ＭＦＰ１００は、カラー、或いはモノクロでプリントができればよい。
【００１２】
ＰＣ１０１は、アプリケーションソフトによって画像データを生成し、生成した画像データをＭＦＰ１００に送信する。なお、本実施形態では、ＰＣ１０１を外部の情報処理装置の例として説明するが、ＰＣ１０１に限らず、ＰＤＡ（ｐｅｒｓｏｎａｌ  ｄｉｇｉｔａｌ  ａｓｓｉｓｔａｎｔ）やスマートフォンなどの携帯情報端末であってもよい。
【００１３】
本実施形態に係るＭＦＰ１００は、後述するコントローラ部（制御部）１１０、リーダ部１２０、プリンタ部１３０、外部Ｉ／Ｆ１４０、操作部１５０、ＨＤＤ１６０、及び、圧縮展開部１７０を有する。これらは電気的に接続されており、互いに制御コマンドやデータを送受信する。なお、本実施形態では、ＭＦＰ１００を印刷装置の例として説明するが、印刷機能があれば、ＳＦＰ（Ｓｉｇｌｅ  Ｆｕｎｃｔｉｏｎａｌ  Ｐｅｒｉｐｈｅｒａｌ）であってもよい。
【００１４】
リーダ部１２０は、コントローラ部１１０との通信を制御するスキャナ制御部１２１、原稿を給紙する原稿給紙ユニット（ＤＦユニット）１２２、及び、搬送した原稿が重送していることを検知する重送検知センサ１２３を有する。重送検知センサ１２３には、例えば、超音波を利用したセンサや、光学センサ等がある。また、リーダ部１２０での原稿の読取指示はコントローラ部１１０からスキャナ制御部１２１を介して行われ、原稿の画像を光学的に読み取り、電気信号としての画像データに変換する。なお、本実施形態では、リーダ部１２０での原稿の読取指示はコントローラ部１１０からスキャナ制御部１２１を介して行われる場合について以降説明するが、このような場合に限らない。リーダ部１２０にスキャナ制御部１２１を構成として有さないＭＦＰである場合は、リーダ部１２０での原稿の読取指示はコントローラ部１１０のＣＰＵ１１１から直接行われてもよい。
【００１５】
一方、プリンタ部１３０は、コントローラ部１１０との通信を制御するプリンタ制御部１３１を有する。さらに、プリンタ部１３０は、印刷に使用するシートを収納する複数のシート収納部（給紙段）を備えた給紙ユニット１３２、及び、印刷物に対してステイプル処理やシフト処理を施す排紙ユニット１３３を有する。また、プリンタ部１３０は、コントローラ部１１０のハードディスク（以下、ＨＤＤ）１６０に記憶された印刷対象のジョブの印刷処理を実行する。プリンタ部１３０での画像データの印刷指示はコントローラ部１１０からプリンタ制御部１３１を介して行われ、画像データに基づいて、給紙段から給紙されたシートにトナーを用いて画像を形成（印刷）し、画像データの転写と定着を行う。なお、本実施形態では、プリンタ部１３０での画像データの印刷指示はコントローラ部１１０からプリンタ制御部１３１を介して行われる場合について以降説明するが、このような場合に限らない。プリンタ部１３０にプリンタ制御部１３１を構成として有さないＭＦＰである場合は、プリンタ部１３０での画像データの印刷指示はコントローラ部１１０のＣＰＵ１１１から直接行われてもよい。
【００１６】
一方、コントローラ部１１０は、自装置内部に複数の処理対象となるジョブを記憶可能なＨＤＤ１６０等の不揮発メモリを備える。尚、本実施形態では、大容量かつ不揮発な記憶装置としてＨＤＤ１６０を例として説明するが、大容量かつ不揮発な記憶装置であるならば、ＳＳＤ（Ｓｏｌｉｄ  Ｓｔａｔｅ  Ｄｒｉｖｅ）などの不揮発メモリであってもよい。
【００１７】
コントローラ部１１０は、複数の機能ブロックを有する。例えば、リーダ部１２０で読み取った原稿の画像データをＨＤＤ１６０に記憶し、そのＨＤＤ１６０から画像データを読み出して、プリンタ部１３０で当該画像データをシートに印刷するコピージョブを実行することができる。また、リーダ部１２０で読み取った原稿の画像データをコードデータに変換し、通信部の一例である外部Ｉ／Ｆ１４０を介して、外部装置であるＰＣ１０１に送信するスキャナ機能を実行することができる。尚、外部Ｉ／Ｆ１４０は、外部の装置と画像データの送受信を行うためのインタフェースであり、外部の装置とは、例えば、ファクシミリ、ネットワーク接続機器、外部専用装置などである。また、ＰＣ１０１から外部Ｉ／Ｆ１４０を介して受信したプリントジョブをＨＤＤ１６０に記憶し、ＨＤＤ１６０から読み出してコードデータを画像データに変換して、プリンタ部１３０で当該画像データをシートに印刷する印刷機能を実行することができる。
【００１８】
また、コントローラ部１１０は、ＣＰＵ１１１、ＲＯＭ１１５、ＲＡＭ１１４、リーダＩ／Ｆ１１２、及びプリンタＩ／Ｆ１１３を有する。
【００１９】
ＣＰＵ１１１は、このＭＦＰ１００が備える各種ユニットの処理や動作等を制御する。ＲＯＭ１１５は、読み出し専用のメモリであり、ブートシーケンスやフォント情報等のプログラムを予め記憶している。一方、ＲＡＭ１１４は、読み出し及び書き込み可能なメモリであり、リーダ部１２０や外部Ｉ／Ｆ１４０より送られてきた画像データや、各種プログラムや設定情報等を記憶する。
【００２０】
ＲＯＭ１１５又はＨＤＤ１６０には、ＣＰＵ１１１により実行される、後述するフローチャートの各種処理等を実行するために必要な各種の制御プログラムが記憶されている。また、ＲＯＭ１１５には、ユーザインタフェース画面（以下、ＵＩ画面）を含む、後述する操作部１５０の表示部に各種のＵＩ画面を表示させるための表示制御プログラムも記憶されている。ＣＰＵ１１１がＲＯＭ１１５又はＨＤＤ１６０に記憶されているプログラムを読み出してＲＡＭ１１４に展開し、展開されたプログラムを実行することにより、第１の実施形態に係る各種動作をＭＦＰ１００により実行させる。
【００２１】
また、ＣＰＵ１１１が、外部Ｉ／Ｆ１４０を介して外部装置から受信したページ記述言語（以下、ＰＤＬと略す）データを解釈し、ラスタイメージデータ（ビットマップ画像データ）に展開する動作を実行するプログラム等もＲＯＭ１１５に記憶されている。同様に、ＣＰＵ１１１が、外部Ｉ／Ｆ１４０を介して外部装置から受信した印刷ジョブを解釈して処理するためのプログラム等もＲＯＭ１１５に記憶されている。これらは、ソフトウェアによって処理される。
【００２２】
また、ＨＤＤ１６０は、システムソフトウェアや、システムバス１１７上に配置される圧縮展開部１７０によって圧縮された画像データなどを格納することができる。このＨＤＤ１６０は、処理対象となるジョブのプリントデータ等の複数のデータを保持可能に構成されている。コントローラ部１１０は、リーダ部１２０や外部Ｉ／Ｆ１４０等の各種入力ユニットを介して入力された処理対象となるジョブを、このＨＤＤ１６０に格納し、ＨＤＤ１６０から読み出してプリンタ部１３０に出力してプリントする。また、コントローラ部１１０は、ＨＤＤ１６０から読み出したジョブを、外部Ｉ／Ｆ１４０を介して外部装置へ送信できるようにも制御する。
【００２３】
圧縮展開部１７０は、ＪＢＩＧやＪＰＥＧ等といった各種圧縮方式によってＲＡＭ１１４、ＨＤＤ１６０に記憶されている画像データ等を圧縮したり伸張したりする処理を行い、ＲＡＭ１１４に再度格納することが可能な画像処理ブロックを有する。この圧縮展開部１７０によって圧縮された画像データは、外部Ｉ／Ｆ１４０を介して外部装置へ送信することができる。
【００２４】
なお、コントローラ部１１０は、外部装置から画像データを外部Ｉ／Ｆ１４０を介して受信することができる。外部Ｉ／Ｆ１４０を介して受信した画像データをＨＤＤ１６０に格納する際において、当該画像データは圧縮展開部１７０によって圧縮される。一方、ＨＤＤ１６０に格納された画像データを印刷する際において、当該画像データは圧縮展開部１７０によって伸長される。また、コントローラ部１１０は、ＨＤＤ１６０に格納した処理対象のジョブの各種出力処理を実行する。ここではＨＤＤ１６０を例にして説明したが、揮発性のＲＡＭでもよい。
【００２５】
リーダＩ／Ｆ１１２は画像読取装置であるリーダ部１２０と接続するためのインタフェースであり、プリンタＩ／Ｆ１１３は画像出力装置であるプリンタ部１３０と接続するためのインタフェースである。コントローラ部１１０は、リーダＩ／Ｆ１１２やプリンタＩ／Ｆ１１３を通じて画像データの同期系／非同期系の変換や制御を行う。
【００２６】
また、ＭＦＰ１００は、ユーザインタフェース部の一例に該当する、表示部を有する操作部１５０も備えている。本実施形態に係るＭＦＰ１００の操作部１５０は、不図示の表示部とハードキーとを有する。表示部は、ＬＣＤ（Ｌｉｑｕｉｄ  Ｃｒｙｓｔａｌ  Ｄｉｓｐｌａｙ：液晶表示部）と、ＬＣＤ上に貼られた透明電極（静電容量方式でもよい）からなるタッチパネルシートとで構成され、ＬＣＤには操作画面やＭＦＰ１００の状態が表示される。操作部１５０は、当該操作画面またはハードキーを介して、ユーザからの各種設定を受け付ける機能と、ユーザに情報を提供する機能とを有する。
【００２７】
続いて、図１に示したリーダ部１２０及びプリンタ部１３０の断面図について図２を用いて説明する。
【００２８】
リーダ部１２０における原稿給紙ユニット（ＤＦユニット）１２２は、原稿台にセットされた原稿を１枚ずつ給紙し、搬送された原稿は重送検知センサ１２３を通過して、光学ユニット２１３に到達する。光学ユニット２１３まで搬送された原稿は排紙トレイ２１９に排出される。
【００２９】
重送検知センサ１２３は、原稿給紙ユニット１２２から給紙された原稿を搬送した際に、当該原稿に重送が発生したことを検知する。例えば、超音波を利用した重送検知センサ１２３では、上部センサから超音波を発信し、その変化を下部センサが感知することによって重送を検知する。そして、１枚の原稿が搬送されたときの受信強度を基準にして、実際に検出された信号がこの基準値よりも受信強度が低いときに重送として判断する。なお、重送とは、原稿給紙ユニット１２２から給紙した原稿を搬送した際、２枚以上の原稿の少なくとも一部が重なった状態で搬送されていることを指す。なお、本実施形態では、超音波を利用したセンサを重送検知センサ１２３の例として説明するが、重送を検知可能であるならば光学センサを利用してもよい。もしくは、原稿の厚みを測定し、その測定データを基準にして、原稿が重送しているかどうか判定してもよい。
【００３０】
原稿が光学ユニット２１３の上まで搬送されると、リーダ部１２０は、ランプ２１２を点灯し、光学ユニット２１３によって原稿に光を当てる。この時、原稿からの反射光は、ミラー２１４、２１５、２１６及びレンズ２１７によってＣＣＤイメージセンサ（以下、ＣＣＤという）２１８へ導かれる。そして、原稿の画像はＣＣＤ２１８によって読み取られる。ＣＣＤ２１８から出力される画像データは、所定の処理が施された後、コントローラ部１１０へ転送される。
【００３１】
また、リーダ部１２０は、原稿給紙ユニット１２２とプラテンガラス２１１の間に置かれた原稿の画像を読み取る。その場合、リーダ部１２０は、ランプ２１２を点灯し、光学ユニット２１３を移動させる。この時の原稿からの反射光は、ミラー２１４、２１５、２１６及びレンズ２１７によってＣＣＤ２１８へ導かれる。そして、原稿の画像はＣＣＤ２１８によって読み取られる。ＣＣＤ２１８から出力される画像データは、所定の処理が施された後、コントローラ部１１０へ転送される。なお、反射光を集光するセンサ部は、ＣＣＤ（Ｃｈａｒｇｅ  Ｃｏｕｐｌｅｄ  Ｄｅｖｉｃｅ）センサである場合について説明したが、このような場合に限らない。センサ部はＣＩＳ（Ｃｏｎｔａｃｔ  Ｉｍａｇｅ  Ｓｅｎｓｏｒ）であってもよい。
【００３２】
プリンタ部１３０において、レーザドライバ３２１はレーザ発光部３２２を駆動するものであり、コントローラ部１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３３】
また、プリンタ部１３０は、給紙ユニット１３２として、引き出し状の形状のカセット３１１〜３１４、及び手差しトレイ３４０を有している。カセット３１１〜３１４、及び手差しトレイ３４０は、複数枚のシートを保持することができる。プリンタ部１３０は、カセット３１１〜３１４、及び手差しトレイ３４０のいずれかからシートを給紙し、転写部３２５へ搬送路３３１を通して搬送する。転写部３２５は、感光ドラム３２３に付着された現像剤をシートに転写する。
【００３４】
現像剤が転写されたシートは搬送ベルト３２６によって、定着部３２７に搬送される。定着部３２７は、熱と圧力により現像剤をシートに定着する。その後、定着部３２７を通過したシートは、搬送路３３５、搬送路３３４を通り排出される。シートの印字面を反転して排出する場合、シートは、搬送路３３６を通して搬送路３３８まで導かれる。そこからシートは、逆方向に搬送され、搬送路３３７、搬送路３３４を通して搬送可能である。
【００３５】
また、両面印刷が設定されている場合、シートは、定着部３２７を通過したあと、搬送路３３６を通って、フラッパ３２９によって搬送路３３３に導かれる。その後、シートは逆方向に搬送され、フラッパ３２９によって、搬送路３３８に導かれた後、再給紙搬送路３３２に導かれる。再給紙搬送路３３２に導かれたシートは、上述したタイミングで搬送路３３１を通り、転写部３２５まで搬送され、転写部３２５によってシートの第２面に現像剤が転写される。そして、シートは、定着部３２７を通して搬送路３３４に導かれる。
【００３６】
片面印刷であるか、両面印刷であるかにかかわらず、搬送路３３４を通して搬送されたシートは排紙ユニット１３３へ搬送される。
【００３７】
排紙ユニット１３３へ搬送されたシートは、まず排紙ユニット１３３のバッファユニット４０１に送られる。ここでは、場合に応じて搬送されてきたシートを、バッファローラに巻きつけてバッファリングする。例えば、この下流で行われるステイプル等処理に時間がかかる場合は、このバッファユニット４０１を利用することによって本体から搬送されてくるシートの搬送間隔を調整することができる。
【００３８】
そして、シートは、この後、上流排出ローラ対４０２、下流排出ローラ対４０３によって搬送路４０４を経由し、スタックトレイ４０５に積まれる。スタックトレイ４０５に１部数のシート束が積載されたら、積載されたシート束は搬送路４０８を経由して、排紙トレイ４０７に排出される。
【００３９】
シフトするよう指定されている場合、スタックトレイ４０５に積載されたシートの束を、直前に排紙したシートの束に対してずらし、排紙トレイ４０７に排出することによって部の切れ目が、ユーザにとってわかりやすくなる。
【００４０】
ステイプルするよう指定されている場合、上流排出ローラ対４０２で搬送され、下流排出ローラ対４０３によって搬送路４０４を経由して、スタックトレイ４０５に積まれたシート束に対してステイプルユニット４０６によってステイプル処理が行われる。綴じられたシート束は、下流排出ローラ対４０３により排紙トレイ４０７に排出される。
【００４１】
なお、本実施形態では、現像器３２４と感光ドラム３２３を１つずつ備えるモノクロ機を用いて説明するが、本発明は、シアン、イエロー、マゼンタ、ブラック用に現像器と感光ドラムを４つずつ備えるカラー機に適用してもよい。また、本実施形態では、電子写真方式で画像をシートに印刷する方法について説明するが、インクジェット方式であってもよい。また、画像を印刷することができるものであれば、その他の方法であってもよい。
【００４２】
以上説明した機能を備えるＭＦＰ１００において、第１の実施形態では、搬送された原稿の重送を検知した場合に、重送を検知した原稿の画像データと、重送を検知した原稿に続いて画像を読み取った原稿の画像データとを操作部１５０に並べて表示する。そして、ユーザは、操作部１５０に表示された双方の画像データを見比べて、重送によって欠落した原稿を容易に特定することができるようにする場合について以降説明を進める。
【００４３】
第１の実施形態に係るＭＦＰ１００において、原稿の画像の読み取りに係る一連の処理を図３に用いたフローチャートを用いて説明する。図３のフローチャートに示す処理は、操作部１５０にコピーを実行するための画面が表示されていて、原稿給紙ユニット（ＤＦユニット）１２２に原稿がセットされた状態で、ＣＰＵ１１１によって開始される。なお、図３のフローチャートの各処理は、ＣＰＵ１１１が、ＲＯＭ１１５又はＨＤＤ１６０から読み出されてＲＡＭ１１４に展開されたプログラムを実行することによって実現される。
【００４４】
まず、Ｓ３０１において、操作部１５０の不図示のハードキーの押下によって、コピーの実行指示を受け付けたか否かを判定する。受け付けたと判定されたならば、Ｓ３０２に進む。一方、コピーの実行指示を受け付けるまでＳ３０１に留まる。
【００４５】
Ｓ３０２において、リーダ部１２０によって読み取った原稿の枚数を表すカウンタの値をゼロに初期化して、Ｓ３０３に進む。なお、カウンタの値はＲＡＭ１１４に記憶される。
【００４６】
Ｓ３０３において、ユーザによって原稿給紙ユニット１２２にセットされた原稿の搬送を開始して、Ｓ３０４に進む。
【００４７】
Ｓ３０４において、搬送された当該原稿の画像をリーダ部１２０によって読み取って、Ｓ３０５に進む。
【００４８】
Ｓ３０５において、Ｓ３０４で読み取った当該原稿の画像データをＨＤＤ１６０に記憶して、Ｓ３０６に進む。
【００４９】
Ｓ３０６において、当該原稿が読み取られたことを表すため、カウンタの値を１だけカウントアップして更新し、３０７に進む。なお、更新後のカウンタの値はＲＡＭ１１４に記憶される。
【００５０】
Ｓ３０７において、重送検知センサ１２３によって当該原稿の搬送中に原稿の重送を検知したか否かを判定する。検知したと判定されたならば、Ｓ３０８に進む。一方、Ｓ検知していないと判定されたならば、Ｓ３０９に進む。
【００５１】
Ｓ３０８において、図６（Ａ）に示す重送箇所テーブル６００に対して、重送を検知した箇所としてＳ３０６で更新したカウンタの値を登録して、Ｓ３０９に進む。なお、重送箇所テーブル６００は、重送を検知した順番を表す番号６０１と、重送を検知した原稿はＳ３０４で読み取った原稿のうちの何枚目に当たるかを表す重送検知箇所６０２で構成されており、重送箇所テーブル６００はＲＡＭ１１４に記憶される。
【００５２】
Ｓ３０９において、Ｓ３０３で搬送を開始した当該原稿を排紙トレイ２１９に排出して、Ｓ３１０に進む。
【００５３】
Ｓ３１０において、原稿給紙ユニット１２２にセットされたすべての原稿が排紙トレイ２１９に排出されたか否かを判定する。すべての原稿が排出されたと判定されたならば、Ｓ４００に進む。一方、すべての原稿が排出されていないと判定されたならば、Ｓ３０３に戻って以降の処理を進める。
【００５４】
Ｓ４００において、原稿給紙ユニット１２２にセットされた原稿のうち、リーダ部１２０によって読み取られた原稿の画像データの印刷処理を実行する。なお、Ｓ４００における処理の詳細は図４のフローチャートを用いて後述する。Ｓ４００の処理の後、原稿の画像の読み取りに係る一連の処理を終了する。
【００５５】
続いて、第１の実施形態に係るＭＦＰ１００において、読み取った原稿の画像データの印刷に係る一連の処理を図４に用いたフローチャートを用いて説明する。なお、図４のフローチャートの各処理は、ＣＰＵ１１１が、ＲＯＭ１１５又はＨＤＤ１６０から読み出されてＲＡＭ１１４に展開されたプログラムを実行することによって実現される。
【００５６】
まず、Ｓ４０１において、１部目の印刷が終了したか否かを判定する。なお、１部目の印刷が終了したか否かの判定を行う理由は、複数部の印刷を行う設定がされていて、かつ、重送によって欠落した原稿が存在する場合は、すべての部数に対して重送によって欠落した原稿の画像データのリカバリ処理を実行しなければならなくなる。したがって、リカバリ処理を行うためのユーザの負担を最小に抑えるために、１部目の印刷が終了した段階で重送によって欠落したすべての原稿の画像データのリカバリ処理を行う必要がある。Ｓ４０１での判定の結果、１部目の印刷が終了していないと判定されたならば、Ｓ４０２に進む。Ｓ４０２において、リーダ部１２０によって読み取られて、ＨＤＤ１６０に記憶された画像データを１つ取得して、Ｓ４０３に進む。
【００５７】
Ｓ４０３において、プリンタ部１３０によって、給紙ユニット１３２から給紙されたシートに対してＳ４０２で取得された画像データの印刷を実行して、Ｓ４０４に進む。
【００５８】
Ｓ４０４において、ＲＡＭ１１４に記憶された重送箇所テーブル６００における重送を検知した順番を表す番号６０１を参照し、Ｓ４０２で取得された画像データは重送を検知した箇所の画像データであるか否かを判定する。重送の検知箇所の画像データであると判定されたならば、Ｓ４０５に進む。一方、重送の検知箇所の画像データでないと判定されたならば、Ｓ４０１に戻って以降の処理を進める。
【００５９】
Ｓ４０５において、Ｓ４０２で取得された画像データを印刷したシートの後ろに色紙等のユーザが識別可能なシート（挿入紙）を挿入する挿入制御処理を行う。このように挿入紙を挿入することによって、重送を検知した箇所の画像データを印刷したシートを特定可能にし、図５のフローチャートを用いて後述するリカバリ処理（Ｓ５００）で読み取った画像データを印刷したシートとの丁合を容易に行えるようになる。なお、識別可能なシート（挿入紙）を挿入するのではなく、排紙ユニット１３３によってシフト制御処理を行うことによって、重送を検知した箇所の画像データを印刷したシートを特定可能にしてもよい。即ち、重送を検知した箇所の画像データを印刷したシートを、重送を検知していない画像データを印刷したシートの束に対してずらした状態で排紙トレイ４０７に排出することによって、重送を検知した箇所の画像データを印刷したシートを特定可能である。Ｓ４０５における処理の後、Ｓ４０１に戻って以降の処理を進める。
【００６０】
Ｓ４０１での判定の結果、１部目の印刷が終了したと判定されたならば、Ｓ４０６に進む。
【００６１】
Ｓ４０６において、ＲＡＭ１１４に記憶された重送箇所テーブル６００を参照し、重送箇所テーブル６００に重送検知箇所６０２が登録されているか否かを判定する。登録されていると判定されたならば、Ｓ５００に進む。一方、登録されてないと判定されたならば、読み取った原稿の画像データの印刷に係る一連の処理を終了する。
【００６２】
Ｓ５００において、重送によって欠落した原稿の画像データのリカバリ処理を実行して、Ｓ４０７に進む。なお、Ｓ５００における処理の詳細は、図５のフローチャートを用いて後述する。
【００６３】
Ｓ４０７において、ＨＤＤ１６０に記憶されているリカバリした画像データを取得して、Ｓ４０８に進む。
【００６４】
Ｓ４０８において、プリンタ部１３０によって、給紙ユニット１３２から給紙されたシートに対してリカバリした画像データの印刷を実行して、読み取った原稿の画像データの印刷に係る一連の処理を終了する。
【００６５】
続いて、第１の実施形態に係るＭＦＰ１００において、重送によって欠落した原稿の画像データのリカバリに係る一連の処理を図５に用いたフローチャートを用いて説明する。なお、図５のフローチャートの各処理は、ＣＰＵ１１１が、ＲＯＭ１１５又はＨＤＤ１６０から読み出されてＲＡＭ１１４に展開されたプログラムを実行することによって実現される。
【００６６】
Ｓ５０１において、重送箇所テーブル６００に登録された重送検知箇所６０２の１つについて、ＨＤＤ１６０に記憶された重送検知箇所６０２の原稿の画像データ（以下、「第１の画像データ」と呼ぶ）を取得して、Ｓ５０２に進む。図６（Ａ）の重送箇所テーブル６００の例では、重送を検知した順番（Ｎｏ．１）における重送検知箇所が３枚目であるため、読み取った原稿の３枚目の画像データを取得する。
【００６７】
Ｓ５０２において、当該重送検知箇所の原稿の次に読み取った原稿の画像データ（以下、「第２の画像データ」と呼ぶ）を取得して、Ｓ５０３に進む。例えば、当該重送検知箇所が３枚目である場合は、読み取った原稿の４枚目の画像データを取得する。
【００６８】
Ｓ５０３において、Ｓ５０１で取得した第１の画像データと、Ｓ５０２で取得した第２の画像データを、図７（Ａ）に示すように重送が発生したことを示す情報とともに操作部１５０に表示して、Ｓ５０４に進む。図７（Ａ）の確認画面７００の例では、重送が発生したことを示す情報として、メッセージを表示するとともに、７０１は第１の画像データを、７０２は第２の画像データをプレビュー表示している。ユーザは、７０１及び７０２のプレビュー表示によって、第１の画像データと第２の画像データから重送によって欠落した原稿を特定することが可能である。なお、重送が発生したことを示す情報として、操作部１５０（確認画面７００）上にメッセージを表示する場合について例示したが、これに限らない。メッセージの代わりに、もしくは、メッセージとともに、アイコンや記号等の情報を操作部１５０（確認画面７００）上に表示してもよい。また、情報として、音やランプによって与えられる情報を用いてもよい。
【００６９】
なお、特に不定形サイズのシートの読み取り時は重送検知画像が不明瞭になることがある。そのような場合、重送検知画像である第１の画像データをユーザは正しく認識できないため、重送によって欠落した原稿をそのまま特定できないことがある。そこで、そのような場合は、ユーザは７０３のボタンを押下し、当該重送検知箇所の原稿の前に読み取った原稿の画像データをプレビュー表示させるよう指示する。これによって、当該重送検知箇所の原稿の前に読み取った原稿の画像データを順次プレビュー表示することができ、重送によって欠落した原稿を特定できるようになる。また、仮に、第１の画像データと第２の画像データが同一もしくは類似であるために、重送によって欠落した原稿をそのまま特定できないことがある。そのような場合は、ユーザは７０４のボタンを押下し、当該重送検知箇所の原稿の次に読み取った原稿の画像データをプレビュー表示させるよう指示する。これによって、図７（Ｂ）に示すように、当該重送検知箇所の原稿の次以降に読み取った原稿の画像データ７１０を順次プレビュー表示することができる。
【００７０】
Ｓ５０４において、重送によって欠落した原稿の読み取りを行う指示をユーザから受け付けたか否かを判定する。図７（Ａ）の確認画面７００の例では、７０５のボタンは重送エラーを無視する、即ち、重送によって欠落した原稿の読み取りを行わないことを指示する。一方。７０６のボタンは欠落ページのスキャンを開始する、即ち、重送によって欠落した原稿の読み取りを行うことを指示する。
【００７１】
Ｓ５０４での判定の結果、７０６のボタンの押下によって、重送によって欠落した原稿の読み取りを行う指示を受け付けたと判定されたならば、Ｓ５０５に進む。一方、７０５のボタンの押下によって、重送によって欠落した原稿の読み取りを行う指示を受け付けてないと判定されたならば、Ｓ５０７に進む。
【００７２】
Ｓ５０５において、ユーザによって原稿給紙ユニット１２２にセットされた、重送によって欠落した原稿の搬送を開始して、Ｓ５０６に進む。なお、重送検知画像が不明瞭であった場合は、画像データのリカバリを行うために、重送によって欠落した原稿とともに重送を検知した原稿を原稿給紙ユニット１２２にセットしてもよい。
【００７３】
Ｓ５０６において、重送によって欠落した原稿の画像をリーダ部１２０によって読み取って、Ｓ５０７に進む。なお、重送を検知した原稿も原稿給紙ユニット１２２にセットされていた場合は、重送を検知した原稿の画像もリーダ部１２０によって読み取られる。
【００７４】
Ｓ５０７において、Ｓ５０１で対象とした重送検知箇所を重送箇所テーブル６００から削除して、Ｓ５０８に進む。図６（Ａ）の重送箇所テーブル６００の例では、重送を検知した順番（Ｎｏ．１）における重送検知箇所（３枚目）が削除されて、図６（Ｂ）に示すように重送を検知した順番（Ｎｏ．１）の重送検知箇所は７枚目に繰り上がる。
【００７５】
Ｓ５０８において、重送箇所テーブル６００に重送検知箇所が他に登録されているか否かを判定する。登録されていると判定されたならば、Ｓ５０１に戻って以降の処理を進める。一方、登録されていないと判定されたならば、重送によって欠落した原稿の画像データのリカバリに係る一連の処理を終了する。
【００７６】
以上説明したように第１の実施形態では、搬送した原稿の重送を検知した場合に、重送エラーが発生したことをユーザに通知する。さらに、重送を検知した原稿の画像データと、重送を検知した原稿の次に読み取った原稿の画像データとを、重送が発生したことを示す情報とともに操作部１５０にプレビュー表示する。これによって、原稿を排出するトレイを１つしか備えていない場合であっても、ユーザは、重送によって欠落した原稿を容易に特定することができる。
【００７７】
また、重送を検知してない原稿の画像データの印刷を先に行い、２部目の印刷を開始する前に、ユーザは、重送によって欠落した原稿を再度読み込んでリカバリ処理を行う。そして、重送によって欠落した原稿の画像データのみを後で印刷して、重送を検知していない原稿の画像データを印刷したシートと丁合すればよい。これによって、搬送した原稿の重送を検知した場合であっても印刷動作を止める必要がないため、生産性を向上させることができる。
【００７８】
なお、第１の実施形態では、原稿給紙ユニット１２２にセットされたすべての原稿が排出された後にＳ４００の印刷処理を実行する場合について説明したが、搬送された原稿の画像を読み取るごとに、読み取った原稿の画像データの印刷処理を順次開始してもよい。
【００７９】
［第２の実施形態］
前述した第１の実施形態では、重送を検知してない原稿の画像データの印刷を先に行い、２部目の印刷を開始する前に、重送によって欠落した原稿の画像データをリカバリした。そして、重送によって欠落した原稿の画像データの印刷を後で行う場合について説明した。
【００８０】
一方、両面設定、ページレイアウト設定、もしくは、ステイプル処理等を行う製本設定等がされているジョブでは、原稿給紙ユニット１２２にセットされた原稿の順番で、原稿の画像データを読み取って印刷を行う必要がある。
【００８１】
そこで、第２の実施形態では、重送を検知したときに印刷を継続するジョブであるか否かを判定する。そして、重送を検知したときに印刷を継続しないジョブでは、重送を検知した都度、重送によって欠落した原稿の画像データのリカバリ処理を行う場合について図８を用いて以降説明する。
【００８２】
第２の実施形態である印刷システムの構成は、第１の実施形態と同様に、印刷装置であるＭＦＰ１００と、外部の情報処理装置であるＰＣ１０１で構成される。また、第２の実施形態に係る印刷システムの構成を示すブロック図、及び、ＭＦＰの構成を示す断面図は第１の実施形態と同様であるため、それらの説明を省略する。
【００８３】
第２の実施形態に係るＭＦＰ１００による処理を説明するための一連のフローチャートは第１の実施形態で説明した図３、図４、図５と同様であるため詳細は省略し、第２の実施形態において第１の実施形態と差分となる処理を中心に以降説明する。
【００８４】
第２の実施形態において、読み取った原稿の画像データの印刷に係る一連の処理（Ｓ４００）、及び、重送によって欠落した原稿の画像データのリカバリに係る一連の処理（Ｓ５００）は、第１の実施形態で説明した図４及び図５と同様であるため詳細は省略する。
【００８５】
一方、第２の実施形態に係るＭＦＰ１００において、原稿の画像の読み取りに係る一連の処理は、第１の実施形態で説明した図３のフローチャートとは差分となる処理を中心に、図８に示したフローチャートを用いて説明する。なお、図８において、第１の実施形態で説明した図３のフローチャートと同様の処理を行うステップは同じステップ番号を付しており、同様の処理を行うステップの説明は省略する。
【００８６】
第２の実施形態では、Ｓ３１０でＮＯと判定された場合に、Ｓ３０３に戻るのではなく、Ｓ８０１に進む。
【００８７】
Ｓ８０１において、重送を検知したときに印刷を継続するジョブであるか否かを判定する。なお、重送を検知したときに印刷を継続するジョブとは、原稿給紙ユニット１２２にセットされた原稿の順番（即ち、原稿の画像を読み取った順番）で、印刷を行う必要がないジョブのことを指す。一方、重送を検知したときに印刷を継続しないジョブとは、両面設定、ページレイアウト設定、製本設定など、原稿給紙ユニット１２２にセットされた原稿の順番（即ち、原稿の画像を読み取った順番）で、印刷を行う必要があるジョブのことを指す。
【００８８】
Ｓ８０１での判定の結果、重送を検知したときに印刷を継続するジョブであると判定されたならば、Ｓ３０３に戻って以降の処理を進める。一方、Ｓ８０１でＮＯと判定されたならば、Ｓ５００に進む。
【００８９】
Ｓ５００において、重送によって欠落した原稿の画像データのリカバリ処理を実行した後、Ｓ３０３に戻って以降の処理を進める。
【００９０】
以上が、原稿の画像の読み取りに係る一連の処理において、第１の実施形態とは差分となる処理の詳細である。
【００９１】
以上説明したように第２の実施形態では、重送を検知したときに印刷を継続するジョブであるか否かを考慮した上で、重送によって欠落した原稿の画像データのリカバリ処理、及び、重送によって欠落した原稿の画像データの印刷を行う。これによって、重送の発生が原因によるユーザの意図しない印刷物が出力されてしまうことを防ぐことができる。
【００９２】
なお、第２の実施形態では、重送を検知したときに印刷を継続するジョブであるか否かを判定した。そして、印刷を継続するジョブであると判定された場合は、読み取った原稿の画像データの印刷処理を実行した後に、重送によって欠落した原稿の画像データのリカバリ処理を行った。
【００９３】
一方、印刷を継続しないジョブであると判定された場合は、重送によって欠落した原稿の画像データのリカバリ処理を実行した後に、原稿の搬送を再開し、搬送された原稿の画像の読み取りを再開する場合について説明したが、このような場合に限らない。
【００９４】
例えば、重送を検知したときに原稿の搬送を継続し、搬送された原稿の画像の読み取りを継続するか否かをユーザが予め設定できるようにし、当該ユーザの設定に基づいて、搬送された原稿の読み取り処理を制御してもよい。即ち、原稿の画像の読み取りを継続する設定がされていると判定された場合は、原稿給紙ユニット１２２にセットされたすべての原稿が排出された後に、重送によって欠落した原稿の画像データのリカバリ処理を行う。一方、原稿の画像の読み取りを継続しない設定がされていると判定された場合は、重送によって欠落した原稿の画像データのリカバリ処理を実行した後に、原稿の搬送を再開し、搬送された原稿の画像の読み取りを再開する。
【００９５】
本発明は上記実施形態に限定されるものではなく、本発明の趣旨に基づき種々の変形（各実施形態の有機的な組合せを含む）が可能であり、それらを本発明の範囲から除外するものではない。
【００９６】
例えば、本実施形態では、ＭＦＰ１００のコントローラ部１１０のＣＰＵ１１１が上記各種制御の主体となっていたが、ＭＦＰ１００と別筐体の外付けコントローラ等の印刷制御装置によって、上記各種制御の一部又は全部を実行可能に構成しても良い。
【００９７】
以上、本発明の様々な例と実施形態を示して説明したが、当業者であれば、本発明の趣旨と範囲は、本明細書内の特定の説明に限定されるのではない。
【００９８】
（その他の実施形態）
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。また、複数のＣＰＵで分散処理をすることでも実現できる。
【図１】
2015073186.tif 000003
【図２】
2015073186.tif 000004
【図３】
2015073186.tif 000005
【図４】
2015073186.tif 000006
【図５】
2015073186.tif 000007
【図６】
2015073186.tif 000008
【図７】
2015073186.tif 000009
【図８】
2015073186.tif 000010